(57)【要約】      （修正有）【課題】レンズ保護部材の着脱作業を容易に行うことができる撮像装置を提供する。【解決手段】被写体からの光を透過させるレンズ装置５と、貫通穴６８にレンズ装置５の撮像レンズ６２を配置した状態でそのレンズ装置が取り付けられる撮像装置本体２と、その撮像レンズ６２の外側に配置される保護ガラス６７と、その保護ガラス６７を撮像装置本体２に固定可能であると共に被写体からの光が透過される貫通穴７３ａを有する固定部材７３と、を備える。固定部材７３の外周面に雄ネジ部７３ｃを設けると共に、その雄ネジ部７３ｃが螺合される雌ネジ部６４ａを撮像装置本体２に設け、固定部材７３の表面に複数のピン孔７７を設けると共に、そのピン孔７７と係合可能な複数のピン６０を有する三脚用固定金具５８を、撮像装置自体に設けた。【選択図】図１２
2006106428.tif 000002
【特許請求の範囲】
【請求項１】
被写体からの光を透過させるレンズ装置と、
開口部に前記レンズ装置の撮像レンズを配置した状態で当該レンズ装置が取り付けられる撮像装置本体と、
前記撮像レンズの外側に配置されるレンズ保護部材と、
前記レンズ保護部材を前記撮像装置本体に固定可能であると共に前記被写体からの光が透過される穴を有する固定部材と、
を備えた撮像装置において、
前記固定部材の外周面に雄ネジを設けると共に、当該雄ネジが螺合される雌ネジを前記撮像装置本体に設け、
前記固定部材の表面に複数の被係合部を設けると共に、当該被係合部と係合可能な複数の係合部を有する工具部材を、前記撮像装置自体又は当該撮像装置と関連する付属品に設けたことを特徴とする撮像装置。
【請求項２】
前記撮像レンズと前記レンズ保護部材との間には、水又は水分の浸入を防止するシール部材を介在させたことを特徴とする請求項１記載の撮像装置。
【請求項３】
前記被係合部は、前記固定部材に設けた複数の凹部又は凸部からなり、前記係合部は、前記撮像装置の一部をなす構成部品又は前記付属品に設けた複数の凸部又は凹部からなることを特徴とする請求項１記載の撮像装置。
【請求項４】
前記被係合部は、前記固定部材に設けた複数のスリット溝又は凸条からなり、前記係合部は、前記撮像装置の一部をなす構成部品又は前記付属品に設けた複数の凸条又はスリット溝からなることを特徴とする請求項１記載の撮像装置。
【請求項５】
前記撮像装置の一部をなす構成部品は、三脚が取り付けられる三脚用固定金具であることを特徴とする請求項１記載の撮像装置。
【請求項６】
前記付属品は、前記撮像装置を保管するためのクレイドルであることを特徴とする請求項１記載の撮像装置。
【発明の詳細な説明】
【技術分野】
【０００１】
本発明は、レンズ装置のレンズを保護するために保護ガラス等のレンズ保護部材を設けた撮像装置に関し、特に、そのレンズ保護部材の着脱作業を容易に行うことができる撮像装置に関するものである。
【背景技術】
【０００２】
従来の、この種の撮像装置としては、例えば、特許文献１に記載されているようなものがある。特許文献１には、この特許出願人が先に特許出願したものであって、内部に光学機器を収納し、透明窓を通して光像を取り込むようにした防水ハウジングに関するものが記載されている。
【０００３】
この特許文献１に記載された防水ハウジングは、「内部に光学機器を収納し、透明窓を通して光像を取り込むようにした防水ハウジングにおいて、前記透明窓を一対の透明板から構成し、該一対の透明板の間の空間を密閉空間とするとともに、該密閉空間を構成する筒体を前記透明板よりも熱伝導率が高い材料から構成した」ことを特徴としている。
【０００４】
このような構成を有する防水ハウジングによれば、「この防水ハウジングが低温の雰囲気にさらされた場合に、密閉空間内の水分が熱伝導率が高い材料から成る筒体の内周面に露結することになり、外側の透明板の内表面に水分が露結することが防止される。また内側の透明板は密閉空間に存在する空気を介して断熱されるために、該内側の透明板の内表面に水分が露結することが防止される」等の効果が得られる。
【０００５】
しかしながら、防水構造に伴ってレンズ保護ガラスを外装体と一体化させた構造においては、保護ガラスの内側に水やゴミ等が入り込むと、これらを取り出すためには外装体を取り外さなければならないために、その作業に非常に手間が掛かるという課題があった。更に、レンズ保護ガラスを取り付けるために特殊な取付方法を採用すると、そのための取付治具等を各地のサービスセンターに配布する必要が生ずる。そのため、コスト的にも大きなデメリットになるという課題がある。
【０００６】
また、防水性を保ちながらレンズ保護ガラスを、ビス止めによって着脱可能なように取り付けようとすると、ビスの分だけ部品点数が増えるばかりでなく、ビス穴部分の防水も必要となるため、防水構造を有するビス穴の分だけ装置全体が大きなものとなり、更に、製造時における作業工数も増加するという課題もあった。
【特許文献１】特開２００３−１６１９９４号
【発明の開示】
【発明が解決しようとする課題】
【０００７】
解決しようとする問題点は、レンズ保護ガラスを外装体と一体をなす構造にすると、外装体を外さないとレンズ保護ガラスを取り外すことができないために、レンズ保護ガラスを取り外す際の作業性が悪く、また、レンズ保護ガラスをビス止めによって着脱可能なように取り付けようとすると、部品点数が増えるばかりでなくビス穴部分の防水も必要となることから、防水構造を有するビス穴の分だけ装置全体が大きなものとなり、製造時の作業工数も増加すると言う点である。
【課題を解決するための手段】
【０００８】
本出願の撮像装置は、被写体からの光を透過させるレンズ装置と、開口部にレンズ装置の撮像レンズを配置した状態でそのレンズ装置が取り付けられる撮像装置本体と、その撮像レンズの外側に配置されるレンズ保護部材と、そのレンズ保護部材を撮像装置本体に固定可能であると共に被写体からの光が透過される穴を有する固定部材と、を備えた撮像装置において、固定部材の外周面に雄ネジを設けると共に、その雄ネジが螺合される雌ネジを撮像装置本体に設け、固定部材の表面に複数の被係合部を設けると共に、その被係合部と係合可能な複数の係合部を有する工具部材を、撮像装置自体又は撮像装置と関連する付属品に設けたことを最も主要な特徴とする。
【０００９】
本出願の撮像装置は、撮像レンズとレンズ保護部材との間には、水又は水分の浸入を防止するシール部材を介在させたことを特徴とする。
【００１０】
本出願の撮像装置は、被係合部は、固定部材に設けた複数の凹部又は凸部からなり、係合部は、撮像装置の一部をなす構成部品又は付属品に設けた複数の凸部又は凹部からなることを特徴とする。
【００１１】
本出願の撮像装置は、被係合部は、固定部材に設けた複数のスリット溝又は凸条からなり、係合部は、撮像装置の一部をなす構成部品又は付属品に設けた複数の凸条又はスリット溝からなることを特徴とする。
【００１２】
本出願の撮像装置は、撮像装置の一部をなす構成部品は、三脚が取り付けられる三脚用固定金具であることを特徴とする。
【００１３】
また、本出願の撮像装置は、付属品は、撮像装置を保管するためのクレイドルであることを特徴とする。
【発明の効果】
【００１４】
本出願の撮像装置によれば、互いに螺合可能な雄ネジと雌ネジによって固定部材が撮像装置本体に螺合されているため、工具部材に設けた複数の係合部を固定部材に設けた複数の被係合部に係合して工具部材を回すことにより、撮像装置本体に対して固定部材を極めて簡単且つ容易に取り付け・取り外しすることができる。そのため、撮像レンズの近傍に塵やゴミ等が入り込んだ場合にも、固定部材を取り外して塵やゴミ等を簡単に取り除くことができ、その作業性の向上を図ることができる。しかも、固定部材が撮像装置本体にネジ止めされ、その固定部材を取り付けるために別部材のビスを必要としないことから、体裁面にビスが現れて見映えが悪くなるのを防ぐことができ、デザイン的に優れたものとすることができる。
【００１５】
本出願の撮像装置によれば、撮像レンズとレンズ保護部材との間にシール部材が介在されているため、レンズ保護部材を経て撮像レンズ側に水や水分が入り込むのを防止することができ、レンズ装置の防水機能或いは防滴機能を高めて、雨中や水中での撮影を可能にすることができる。しかも、固定部材を取り付けるために別部材のビスを必要としないことから、装置全体の小型化を図ることができる。
【００１６】
本出願の撮像装置によれば、固定部材に設けた被係合部を複数の凹部又は凸部によって形成し、撮像装置の一部をなす構成部品又は付属品に設けた係合部を複数の凸部又は凹部によって形成することにより、その構成部品又は付属品を工具として用いて固定部材の取り付け・取り外し作業を簡単且つスムースに行うことができる。そのため、固定部材の取り付け・取り外し作業を行うための特殊な工具を必要としないことから、この種の撮像装置の修理や点検等を行うためのサービスセンター等に特殊工具を配布する不経済を生ずるおそれがない。
【００１７】
本出願の撮像装置によれば、固定部材に設けた被係合部を複数のスリット溝又は凸条によって形成し、撮像装置の一部をなす構成部品又は付属品に設けた係合部を複数の凸条又はスリット溝によって形成することにより、その構成部品又は付属品を工具として用いて固定部材の取り付け・取り外し作業を簡単且つスムースに行うことができる。そのため、固定部材の取り付け・取り外し作業を行うための特殊な工具を必要としないことから、この種の撮像装置の修理や点検等を行うためのサービスセンター等に特殊工具を配布する不経済を生ずるおそれがない。
【００１８】
本出願の撮像装置によれば、撮像装置の一部をなす構成部品が三脚用固定金具である場合には、その三脚用固定金具を撮像装置本体から取り外して使用することにより、特別な工具を用意することなく、三脚用固定金具を工具として用いて固定部材を簡単に取り外したり、取り付けたりすることができる。そのため、必要な工具として部品点数が増加するのを防止し、コストアップを防ぐことができる。
【００１９】
また、本出願の撮像装置によれば、撮像装置の一部をなす構成部品がクレイドルである場合には、そのクレイドルの用途を広げることができ、撮像装置を保管するための付属品であるばかりでなく、固定部材を撮像装置本体に対して簡単に取り外したり、取り付けたりすることができる工具として利用することができ、付属品としての有効利用を図ることができる。
【発明を実施するための最良の形態】
【００２０】
固定部材を撮像装置本体にネジ結合すると共に、固定部材の表面に複数の被係合部を設け、これらに係合される係合部を撮像装置の一部をなす構成部品又は付属品に設けることにより、特別な工具を設けることなく、撮像装置として必要な部品又は付属品を工具として用いて、固定部材の着脱作業を簡単且つスムースに行うことができる撮像装置を、簡単な構造によって実現した。
【実施例１】
【００２１】
図１〜図１６は、本発明の実施の形態の例を示すものである。即ち、図１〜図７は本発明の撮像装置の一実施例を示すもので、図１は正面図、図２は底面図、図３は平面図、図４は背面図、図５は左側面図、図６は右側面図、図７は外観斜視図である。更に、図８は本発明に係る撮像装置のバックル蓋体を開いて正面側から見た斜視図、図９は同じくディスク蓋体及びバックル蓋体を共に開いて背面側から見た斜視図、図１０は使用状態を示す説明図、図１１はレンズ側外装体から固定部材等を分解した説明図、図１２は同じく断面図、図１３は固定部材と三脚用固定金具を示す説明図、図１４はクレイドルを正面側から見た説明図、図１５は同じくクレイドルを背面側から見た説明図、図１６Ａ，Ｂは被係合部の他の例を示す説明図である。
【００２２】
図１〜図１０に示す撮像装置１は、情報記憶メディアとしてディスク状記録媒体の一具体例を示すＤＶＤ−Ｒ（Digital Video Disc−Recordable）を使用し、光学的な画像をＣＣＤ（固体撮像素子）で電気的な信号に変換してＤＶＤ−Ｒに記録したり、液晶ディスプレイ等の平面モニタからなる表示装置に表示できるようにしたもの（以下「ディスク式撮像装置」という。）である。しかしながら、本発明の撮像装置に係る情報記憶メディアとしては、ＤＶＤ−Ｒに限定されるものではなく、ＤＶＤ−ＲＷその他の記録可能な光学ディスクや、光磁気ディスク、磁気ディスク等のように他の記録方式のディスク状記録媒体を適用できることは勿論のこと、他の形式の記録媒体、例えば、磁気テープ、半導体記録媒体等も適用できるものである。
【００２３】
このディスク式撮像装置１は、図１〜図９に示すように、複数の開閉可能な蓋体を有する撮像装置本体２と、着脱自在に装着されるＤＶＤ−Ｒを回転駆動して情報信号の記録（書き込み）及び再生（読み出し）を行うディスクドライブ装置３と、このディスクドライブ装置３の駆動制御等を行う制御回路等が設けられた図示しない制御装置と、被写体の像を光として取り込んで撮像手段としてのＣＣＤ６に導くレンズ装置５と、ＣＣＤ６から出力される映像信号に基づき画像を表示する液晶ディスプレイ等の表示装置からなる平面モニタ７と、ＣＣＤ６から出力される映像信号を一時的に記憶する図示しない記憶装置等を備えて構成されている。これらディスクドライブ装置３とレンズ装置５と平面モニタ７等は、すべて撮像装置本体２内に収納されている。
【００２４】
図７〜図９に示すように、撮像装置本体２は、平面形状が略馬蹄形をなすと共にその開口側が略直線状をなす横桟１５によって閉じられた形状を有する枠材からなるセンタ枠体１０と、このセンタ枠体１０の一面側を覆うレンズ側外装体１１と、このレンズ側外装体１１に設けた開口部を開閉可能に覆うバックル蓋体１２と、センタ枠体１０の他面側の全体を開閉可能に覆うディスク側蓋体１３とから構成されている。
【００２５】
センタ枠体１０は、ディスクドライブ装置３等を収納できる高さを有しているが、横桟１５側が高く設定されており、その反対側である曲線枠１６の高さは、中央に至るに伴って逐次的に低くなるように勾配を有する形状とされている。このセンタ枠体１０内に、ディスクドライブ装置３や制御装置その他の装置及び機器が配置されている。このセンタ枠体１０の一面である表面に、レンズ側外装体１１が複数個の固定ネジによってネジ止めされて固定されている。そして、レンズ側外装体１１の横桟１５側に大きく開口された開口部１７にバックル蓋体１２が装着されている。
【００２６】
バックル蓋体１２は、図８に示すように、バッテリー収納部１８を開閉すると共に、ディスク側蓋体１３を開放するための第１の操作スイッチ２１と第２の操作スイッチ２２とを覆い隠すものである。このバックル蓋体１２は、センタ枠体１０に回動自在に支持された一対のヒンジアーム２３，２３によって回動自在に支持されている。この一対のヒンジアーム２３，２３の回動動作によってバックル蓋体１２が、図７に示す閉鎖位置若しくは図８に示す開放位置、又はこれら閉鎖位置及び開放位置間の任意の位置を取ることができるようになっている。
【００２７】
バックル蓋体１２が、図７に示す閉鎖位置にあるときには、バックル蓋体１２の内面の外周縁に取り付けられたシール部材２４が全周に亘ってレンズ側外装体１１に液密に密着される。このようにバックル蓋体１２がレンズ側外装体１１に密着している状態では、その接触部から撮像装置本体２の内部に水や水分が入り込むのを防止することができる。
【００２８】
一方、バックル蓋体１２が、図８に示す開放位置にあるときには、バッテリー収納部１８と第１の操作スイッチ２１と第２の操作スイッチ２２とがそれぞれ露出される。そのため、バックル蓋体１２の開放状態では、バッテリー収納部１８から電源の一具体例を示すバッテリー２８を取り出したり、そのバッテリー収納部１８に新たなバッテリー２８を装着したりすることができる。また、バックル蓋体１２が開放位置にあるときにのみ第１及び第２の操作スイッチ２１，２２が開放操作可能であるため、バックル蓋体１２が開放される前に第１及び第２の操作スイッチ２１，２２が操作されて誤ってディスク側蓋体１３が開放されるのを防止することができる。
【００２９】
バックル蓋体１２の開放操作は、バックル蓋体１２の先端側の略中央に設けたバックル部２９のローラ３０を、ディスク側蓋体１３の先端側中央に設けた係合突起３１を乗り越えさせて係合することによって実行される。この係合動作と逆動作をバックル部２９に加えることにより、係合突起３１から離れる方向にローラ３０を回動させることにより、そのローラ３０と係合突起３１の係合状態を解除してバックルを開放することができる。
【００３０】
図９に示すように、ディスクドライブ装置３は、メカデッキ３５とテーブル回転装置３６と光学ピックアップ装置３７とピックアップ移動装置等を備えて構成されている。メカデッキ３５は、ＤＶＤ−Ｒと略同程度の大きさを有する枠状の部材からなり、図示しない複数個のマウント部材を介してセンタ枠体１０に弾性的に支持されている。このメカデッキ３５の中央から一方へ偏倚した位置に、テーブル回転装置３６が搭載されている。テーブル回転装置３６は、メカデッキ３５に固定されたスピンドルモータ４０と、このスピンドルモータ４０の回転部に固定されたターンテーブル４１等から構成されている。
【００３１】
ターンテーブル４１は、ＤＶＤ−Ｒの中心孔が嵌合されるディスク嵌合部４１ａと、中心孔の周縁部が載置されるディスク載置部４１ｂとからなっている。更に、嵌合部４１ａには、ＤＶＤ−Ｒの中心孔の周縁部に係合してＤＶＤ−Ｒを保持する複数個のクランプ爪４２（本実施例では３個）が周方向に等間隔あけて設けられている。各クランプ爪４２は、それぞれコイルバネによって半径方向外側へ付勢されている。このコイルバネのバネ力によるクランプ爪４２の保持力により、ＤＶＤ−Ｒがターンテーブル４１の中央にセンタリングされて、一定の保持力で保持される。このコイルバネのバネ力に抗してクランプ爪４２を後退させることにより、ターンテーブル４１に対するＤＶＤ−Ｒの装着動作及び離脱動作が可能となる。
【００３２】
光学ピックアップ装置３７は、ＤＶＤ−Ｒの情報記録面に対向されるピックアップレンズ４４を有する二軸アクチュエータと、この二軸アクチュエータが搭載されたスライド部材４５等を備えて構成されている。スライド部材４５は、図に表れないピックアップ移動装置によって往復移動自在とされていて、ターンテーブル４１に対して接近及び離反可能に構成されている。ピックアップ移動装置は、互いに平行に配置された２本のガイド軸と、これらガイド軸と平行に設けられた送りネジ軸と、この送りネジ軸を回転駆動する送りモータ等から構成されている。
【００３３】
ピックアップ移動装置の２本のガイド軸は、スピンドルモータ４０を両側から挟んでディスク式撮像装置１の前後方向に延在されている。この２本のガイド軸にスライド部材４５が摺動可能に保持されており、そのスライド部材４５に取り付けられたナット部材が送りネジ軸のネジ部に係合されている。かくして、ピックアップ移動装置の送りモータを回転駆動することにより、送りネジ軸の回転方向に応じて光学ピックアップ装置３７が、ターンテーブル４１に近づく方向とそのターンテーブル４１から離れる方向とに選択的に移動される。
【００３４】
このような構成を有するディスクドライブ装置３が、ターンテーブル４１をディスク側蓋体１３側に配した状態でセンタ枠体１０に取り付けられている。このディスクドライブ装置３のターンテーブル４１側に、ＤＶＤ−Ｒ等のディスク状記録媒体が着脱可能に装着されるディスク装着部４７が設定されている。更に、撮像装置本体２内のディスクドライブ装置３の奥にはレンズ装置用の空間部が設定されており、その空間部内にレンズ装置５が配設されている。
【００３５】
図４及び図９に示すように、ディスク側蓋体１３には、円形に盛り上げられた膨出部１３ａが設けられている。この膨出部１３ａは、ターンテーブル４１に装着されるディスク状記録媒体（例えば、直径が８ｃｍのＤＶＤ−Ｒ等）の大きさに見合う大きさとされている。このディスク側蓋体１３の膨出部１３ａの略中央部には長方形をなす開口窓４８が設けられており、その開口窓４８には表示装置の一具体例を示す液晶ディスプレイ（ＬＣＤ）やＥＬ(Electroluminescence）パネル等からなる平面モニタ７が取り付けられている。
【００３６】
更に、膨出部１３ａの平面モニタ７の下部には、電源をオン・オフ等するための切換スイッチ５０等が配設されている。切換スイッチ５０は、円弧状にスライド可能とされていると共に、所定位置において押圧操作可能に構成されている。即ち、切換スイッチ５０は、スライド操作によって電源のオン・オフが切り換えられると共に、その電源のオン位置において押圧操作することにより、撮影モード（例えば、静止画撮影、動作撮影、再生表示等）の切り換えが可能とされている。このディスク側蓋体１３の膨出部１３ａより外側の右上部には、撮像装置本体２を把持するための把持部５２の一部を構成する第１の指掛け部５２ａが設けられている。この第１の指掛け部５２ａには、右手の親指が当接される。
【００３７】
図３及び図９に示すように、センタ枠体１０の曲線枠１６における横桟１５側の一方の端部には、撮影の開始と終了を実行する録画ボタン５４と、一対のズームボタンが配置されている。一対のズームボタンは、レンズ装置５をワイド（広角）側に移動させるワイドボタン５５と、レンズ装置５をテレ（望遠）側に移動させるテレボタン５６とから構成されている。ワイドボタン５５とテレボタン５６は、それぞれのボタンを押し続ける間だけ画面の拡大又は縮小が連続して実行され、それぞれの終端においてワイド側又はテレ側への移動が停止されるようになっている。
【００３８】
図２及び図７に示すように、センタ枠体１０の曲線枠１６における横桟１５側の他方の端部には、このディスク式撮像装置１を、図示しない三脚に取り付けるための三脚用固定金具５８が埋め込まれ、複数個の固定ネジ５９によって着脱可能に取り付けられている。三脚用固定金具５８は、長手方向両端の円弧部分の曲率半径が異なる略長円形の部材からなり、その大径側に三脚の固定ネジが螺合されるネジ穴５８ａが設けられている。この三脚用固定金具５８は、後述するレンズ保護部材を取り付ける固定部材をレンズ側外装体１１に対して着脱するための工具部材の第１実施例を構成している。
【００３９】
そのため、三脚用固定金具５８の裏面のネジ穴５８ａの周囲には、３本のピン６０が設けられている。３本のピン６０は、ネジ穴５８ａを中心として同一円周上に等間隔に配置されている。これにより、三脚用固定金具５８は、３本のピンを有するピン付きスパナを構成している。この三脚用固定金具５８は、常時は複数個（本実施例では３個）の固定ネジ５９によって撮像装置本体２の底面に固定されており、固定部材７３を回動する（取り外したり取り付けたり）する必要が生じたときに、必要に応じて撮像装置本体２から取り外して使用されるものである。三脚用固定金具５８が撮像装置本体２に取り付けられているときには、３本のピン６０は撮像装置本体２内に埋没されている。
【００４０】
また、図１及び図７等に示すように、ディスク式撮像装置１の正面に配置されたレンズ側外装体１１のバックル蓋体１２と反対側の端部には、正面に撮像レンズ６２を露出させた状態でレンズ装置５が配設されている。このレンズ装置５を配置するためレンズ側外装体１１には、図１１に示すように、正面側に突き出したレンズ用膨出部６３が設けられており、そのレンズ用膨出部６３にはレンズカバー６５が装着されている。そして、レンズ用膨出部６３に設けた凹陥部６４内に、レンズ保護部材の一具体例を示す保護ガラス６７を有するレンズ防水装置６６が設けられている。
【００４１】
レンズ用膨出部６３は、長手方向両端の円弧部分の曲率半径が異なる略長円形の部分からなり、その大径側には円形の凹陥部６４が設けられている。図１１及び図１２に示すように、凹陥部６４の底面には円形の貫通穴６８が設けられており、その貫通穴６８にはレンズ装置５の撮像レンズ６２側の先端部が挿通されている。レンズ装置５は、複数個の筒体の組み合わせからなるレンズ鏡筒７０と、このレンズ鏡筒７０に保持された撮像レンズ６２を含む複数枚のレンズの組み合わせからなるレンズユニット７１とを備えて構成されている。
【００４２】
レンズユニット７１の光軸上の後方に、撮像手段の一具体例を示すＣＣＤ６が配置されている。ＣＣＤ６はレンズ鏡筒７０に固定されていて、その受光面の略中央部にレンズユニット７１の光軸が設定されている。このレンズ装置５のレンズユニット７１を透過した被写体の光がＣＣＤ６に受光されることにより、その被写体に対応した電気信号からなる映像信号がＣＣＤ６から制御装置や表示装置等に出力される。
【００４３】
このレンズ装置５のレンズを保護するレンズ防水装置６６は、図１１及び図１２に示すように、固定部材７３と接着紙７４と防水パッキン７５と保護ガラス６７とスペーサ７６とから構成されている。固定部材７３は、被写体の光を透過させる貫通穴７３ａが開口されたリング状の部材からなり、その外周面の厚み方向略中央部には周方向に連続する環状溝７３ｂが設けられている。この環状溝７３ｂには、防水パッキンの一具体例を示すＯ−リング７５が装着される。
【００４４】
固定部材７３の外周面の環状溝７３ｂより奥側には、この固定部材７３をレンズ側外装体１１にネジ止めするための雄ネジ部７３ｃが設けられている。この固定部材７３の雄ネジ部７３ｃに対応してレンズ用膨出部６３の凹陥部６４の内面には、当該雄ネジ部７３ｃと螺合される雌ネジ部６４ａが設けられている。更に、固定部材７３の雄ネジ部７３ｃと反対側には、半径方向内側に突出する内フランジ部７３ｄが設けられている。この固定部材７３の内フランジ部７３ｄのある側の端面は内側に凹となるテーパ面とされている。
【００４５】
この固定部材７３のテーパ面には、三脚用固定金具５８の３本のピン６０がそれぞれ嵌合可能な３つのピン孔７７が設けられている。３つのピン孔７７は３本のピン６０と対応した位置に配置されていて、３本のピン６０を３つのピン孔７７に係合させることにより、三脚用固定金具５８をピン付きスパナとして用いて、固定部材７３を回動することができる。固定部材７３の内フランジ部７３ｄの内面に、リング状をなす接着紙７４が接着剤によって接着されている。接着紙７４は、保護ガラス６７を固定部材７３の内フランジ部７３ｄに貼り付けるためのものである。
【００４６】
保護ガラス６７の内側には、リング状をなすスペーサ７６が配置されている。このスペーサ７６は、保護ガラス６７に外側から内側へ向かう外力が加わったときにも保護ガラス６７がレンズ側外装体１１から剥がれないようにするものである。このスペーサ７６の内周縁には、取付位置を規制するための位置規制部７６ａが設けられている。スペーサ７６の材質としては、例えば、シリコンゴム、ウレタンゴムその他のゴム状弾性体は勿論のこと、軟質のプラスチックや不織布、紙等を用いることもできる。
【００４７】
このレンズ防水装置６６では、レンズ側外装体１１と固定部材７３との間の隙間はＯ−リング７５によって防水し、固定部材７３と保護ガラス６７との間の隙間は接着紙７４によって防水している。この際、接着紙７４としてある程度の厚みと弾力性とを有する材料を用いることにより、他の部品（例えば、固定部材７３、スペーサ７６等）の公差を接着紙７４によって吸収することができ、そのため、より精度の高い防水性を可能にすることができる。
【００４８】
このレンズ防水装置６６を覆うレンズカバー６５は、レンズ側外装体１１のレンズ用膨出部６３に見合う形状とされていて、固定部材７３の表面を露出させる開口穴７８が設けられている。このレンズカバー６５は、複数個の固定ネジ７９によってレンズ用膨出部６３に着脱可能に取り付けられている。
【００４９】
このような構成を有するレンズ防水装置６６は、例えば、次のようにして簡単に組み立てることができる。まず、固定部材７３の内フランジ部７３ｄの内側に、接着紙７４を介して保護ガラス６７を貼り付ける。そして、保護ガラス６７の内側にスペーサ７６を配置すると共に、外周面に設けた環状溝７３ｂ内にＯ−リング７５を装着する。これにより、保護ガラス６７を固定部材７３とスペーサ７６とで挟持した防水組立体が構成される。
【００５０】
次に、上述のようにして組み立てた防水組立体を、レンズ側外装体１１のレンズ用膨出部６３に設けた凹陥部６４に差し込み、固定部材７３の雄ネジ部７３ｃを凹陥部６４の雌ネジ部６４ａに螺合させる。そして、スペーサ７６が凹陥部６４の底面に十分に当接するまで固定部材７３をねじ込む。このとき、三脚用固定金具５８をピン付きスパナとして用いることにより、特殊な専用工具を用いることなく、ディスク式撮像装置１の構成部品の１つである三脚用固定金具５８を用いて、固定部材７３の回動作業及びその締付作業を簡単且つスムースに行うことができる。
【００５１】
即ち、ディスク式撮像装置１の底面から三脚用固定金具５８を取り外し、図１３に示すように、その内側に隠れていた３本のピン６０を固定部材７３の３つのピン孔７７に対向させる。そして、３つのピン孔７７に３本のピン６０を嵌合し、ネジ穴５８ａを回動中心として三脚用固定金具５８を回動させる。これにより、固定部材７３を簡単且つスムースに回動することができ、凹陥部６４から保護ガラス６７等を簡単且つ確実に取り出すことができる。
【００５２】
固定部材７３等をレンズ側外装体１１に組み立てる場合には、例えば、防水組立体を凹陥部６４に突当てながら回動させ、適当な深さまで固定部材７３を手で回動させる。その後、３つのピン孔７７に３本のピン６０を嵌合して三脚用固定金具５８を固定部材７３に装着し、これを回動させて固定部材７３を適当な深さまでねじ込む。これにより、固定部材７３を簡単且つスムースに回動させて、固定部材７３をレンズ側外装体１１にしっかりとネジ止めすることができる。
【００５３】
かくして、防水用の保護ガラス６７を取り外し可能にすることにより、撮像レンズ６２周辺部のゴミ取り等のために外装体を取り外す必要を無くすことができると共に、分解作業によって生じることがある故障の発生を無くすことができる。しかも、分解作業が不要となるため、その作業工数を軽減し、作業時間の短縮を図ることができる。また、保護ガラス６７が傷ついた場合にも、保護ガラス６７の単品を交換するだけで済むため、経済的である。
【００５４】
尚、レンズ保護部材としては、この実施例で示した保護ガラス６７に限定されるものではなく、ガラスと同様の作用を奏するプラスチックを用いることができ、また、ガラスに代えてレンズやフィルタ等を用いることもできる。また、防水パッキンとしては、この実施例で示したＯ−リング７５に限定されるものではなく、オイルシール等のように他の形式の密封装置を用いることもできる。
【００５５】
図１４及び図１５は、本発明の撮像装置に係る工具部材の第２の実施例を示すものである。この第２実施例として示す工具部材は、ディスク式撮像装置１の充電器であると共に、保管等のためにも使用されるクレイドルを用いたものである。クレイドル８０は、ディスク式撮像装置１を着脱可能に収納できる装置収納部８１を有する筐体からなり、その着脱動作のために上面部と正面部とが開口されている。クレイドル８０の底面には、ディスク式撮像装置１と電気的に接続するためのコネクタ８２が設けられている。このコネクタ８２を介してディスク式撮像装置１は、図示しない家庭用コンセント等の電源と電気的に接続される。
【００５６】
このようなクレイドル８０に対して、各種の取付形態を用いて工具部材を取り付けるように構成するとよい。図１５に示す符号８４は、本発明の撮像装置に係る工具部材の第２の実施例を示すものであり、同じく符号８６は、本発明の撮像装置に係る工具部材の第３の実施例を示すものである。また、クレイドル８０の下面には、下方に突出する複数個（本実施例では４個）の脚体８３が設けられている。
【００５７】
第２実施例として示す工具部材８４は、工具本体が円形をなす部材からなり、その一方の端面に３本のピン８５が設けられている。また、第３実施例として示す工具部材８６は、工具本体が長方形の偏平な板体からなり、その一方の面に３本のピン８７が設けられている。第２の工具部材８４は、クレイドル８０の背面に着脱自在に取り付けられている。そして、工具部材８４の外周面には、その滑りを防止して回動操作を容易にするためのローレットが設けられている。また、第３の工具部材８６は、その四隅にネジ孔８６ａが設けられており、これらのネジ孔８６ａに挿通される固定ネジ８８によってクレイドル８０の下面に着脱可能に取り付けられている。
【００５８】
このような構成を有する第２又は第３の工具部材８４，８６を用いることによっても、前記実施例と同様に、特殊な専用工具を用いることなく、ディスク式撮像装置１の付属品の１つであるクレイドル８０を用いて、固定部材７３の回動作業及びその締付作業を簡単且つスムースに行うことができる。しかも、クレイドル８０は、撮像装置本体２とは別個独立の付属品であって、通常は撮影終了後の非撮影時に使用されるものであり、撮影後の撮像装置を手入れするときには手元に存在するため、レンズ装置の防水に関する手入れを容易に行うことができる。尚、第２又は第３の工具部材８４，８６は、クレイドル８０と一体に設けてもよいことは勿論である。
【００５９】
図１６Ａ，Ｂは、固定部材７３の表面に設けた被係合部の第２及び第３の実施例を示すものである。図１６Ａに示す被係合部の第２実施例は、半径方向に延びる２つのスリット溝９０を被係合部として形成したものである。これとは逆に、前記スリット溝９０を上方に突出させて、被係合部を半径方向に延びる２つの突条として形成することもできる。
【００６０】
また、図１６Ｂに示す被係合部の第３実施例は、円弧状に突出する３個の凸部９１を被係合部として形成したものである。これとは逆に、前記凸部９１を凹ませて、被係合部を円弧状の凹部として形成することもできる。被係合部の形状としては、これらに限定されるものではなく、その他の周知である各種形状のものを適用することができる。この際、このような固定部材７３の被係合部の形状に対応して、工具部材に設ける係合部の形状は、それらに着脱自在に嵌合される互いに対応した形状とする必要があることは勿論である。
【００６１】
かくして、撮像装置本体２内の温度と外気温度との差によって結露が保護ガラス６７の内面に生じた場合にも、その保護ガラス６７を取り外すことによって簡単に拭き取ることが可能であり、結露による画面の歪み等を防止することができる。更に、固定部材のピン孔等の凹凸からなる被係合部に対応した凸凹からなる係合部を、三脚用固定金具５８やクレイドル８０に設けることにより、特殊な工具や治具を用意する必要性を無くすことができるため、余計なコストが掛かることがない。
【００６２】
図１０は、本実施例に係るディスク式撮像装置１の使用状態の一例を示すものである。右手は撮影装置本体２の把持部５２を把持するように用いられ、左手は撮影装置本体２のレンズ装置５の近傍を把持するように用いられる。そのため、図１〜図３に示すように、レンズ側外装体１１のレンズ装置５と反対側の端部には、撮影装置本体２の把持部５２の一部を構成する第２の指掛け部５２ｂが設けられている。
【００６３】
把持部５２の第２の指掛け部５２ｂには、右手の中指や薬指が当接される。この第２の指掛け部５２ｂに掛けられる右手の中指等と、第１の指掛け部５２ａに掛けられる右手の親指によって把持部５２が把持される。そして、右手の人差し指は、撮影装置本体２の上方に回されて３つの操作ボタン５４〜５６の操作に供される。
【００６４】
以上説明したように、本発明によれば、上述したような構成を有するため、レンズ周りの防水を行いながら、撮像装置全体の小型化を図ることができる。しかも、レンズ保護部材の固定に際して、複数箇所をビス止めする必要がないため、部品点数を削減できると共に、組立作業の手順を減らすことができる。更に、固定部材を取り付けるためにビスを必要としないため、固定部材の体裁面である表面をスッキリさせて、デザイン的に優れた形状とすることができる。
【００６５】
前記実施例において、被係合部及び係合部の数としては、第１実施例におけるピン６０，８５，８７及びピン孔７７並びに図１６Ｂに示す凸部９１については３個設けたが、これに限定されるものではなく、２個又は４個以上であってもよいことは勿論である。また、図１６Ａに示す実施例の場合には、被係合部として２つのスリット溝を設けたが、スリット溝は３つ以上であってもよい。更に、複数の被係合部及び係合部は、それぞれ等間隔に配置した例について説明したが、等間隔でなくてもよいことは勿論である。
【産業上の利用可能性】
【００６６】
本発明は、前述しかつ図面に示した実施の形態に限定されるものではなく、その要旨を逸脱しない範囲内で種々の変形実施が可能である。例えば、本発明はディスク式撮像装置以外の撮像装置、例えば、電子スチルカメラ、ビデオカメラ、カメラ機能付きパーソナルコンピュータ、カメラ機能付き携帯電話機、カメラ機能付きＰＨＳその他各種の撮像装置に適用できることは勿論である。
【図面の簡単な説明】
【００６７】
【図１】本発明の撮像装置の一実施例に係るディスク式撮像装置を示す正面図である。
【図２】図１に示すディスク式撮像装置の底面図である。
【図３】図１に示すディスク式撮像装置の平面図である。
【図４】図１に示すディスク式撮像装置の背面図である。
【図５】図１に示すディスク式撮像装置の左側面図である。
【図６】図１に示すディスク式撮像装置の右側面図である。
【図７】図１に示すディスク式撮像装置を斜め正面側から見た外観斜視図である。
【図８】図１に示すディスク式撮像装置を、バックル蓋体を開けて斜め正面側から見た外観斜視図である。
【図９】図１に示すディスク式撮像装置を、ディスク側蓋体とバックル蓋体を開けて斜め背面側から見た外観斜視図である。
【図１０】図１のディスク式撮像装置の使用状態を示す説明図である。
【図１１】図１に示すディスク式撮像装置に係るレンズ防水装置を分解した斜視図である。
【図１２】図１に示すディスク式撮像装置に係るレンズ防水装置及びその周辺部分の断面図である。
【図１３】図１に示すディスク式撮像装置に係る固定部材と工具部材の関係を説明する説明図である。
【図１４】本発明の撮像装置に係る工具部材の第２の実施例を示すクレイドルを正面側から見た説明図である。
【図１５】図１４に示すクレイドルを背面側から見た説明図である。
【図１６】本発明の撮像装置に係る固定部材を示すもので、同図Ａは被係合部の第２実施例、同図Ｂは被係合部の第３実施例の、それぞれ説明図である。
【符号の説明】
【００６８】
１…ディスク式撮像装置（撮像装置）、  ２…撮像装置本体、  ３…ディスクドライブ装置、  ５…レンズ装置、  ６…ＣＣＤ（固体撮像素子）、  ７…平面モニタ（表示装置）、  １０…センタ枠体、  １１…レンズ側外装体、  １２…バックル蓋体、  １３…ディスク側蓋体、  １５…横桟、  １６…曲線枠、  ３６…テーブル回転装置、  ４７…ディスク装着部、  ５２…把持部、  ５８…三脚用固定金具（工具部材）、  ６０，８５，８７…ピン（係合部）、  ６２…撮像レンズ、  ６３…レンズ用膨出部、  ６４…凹陥部、  ６４ａ…雌ネジ部、  ６５…レンズカバー、  ６６…レンズ防水装置、  ６７…保護ガラス（レンズ保護部材）、  ６８…貫通穴（開口部）、  ７３…固定部材、  ７３ａ…貫通穴、  ７３ｂ…環状溝、  ７３ｃ…雄ネジ部、  ７３ｄ…内フランジ部、  ７４…接着紙、  ７５…Ｏ−リング（防水パッキン）、  ７６…スペーサ、  ７７…ピン孔（被係合部）、  ８０…クレイドル（工具部材）、  ８４，８６…工具部材、  ９０…スリット溝（被係合部）、  ９１…凸部（被係合部）
【図１】
2006106428.tif 000003
【図２】
2006106428.tif 000004
【図３】
2006106428.tif 000005
【図４】
2006106428.tif 000006
【図５】
2006106428.tif 000007
【図６】
2006106428.tif 000008
【図７】
2006106428.tif 000009
【図８】
2006106428.tif 000010
【図９】
2006106428.tif 000011
【図１０】
2006106428.tif 000012
【図１１】
2006106428.tif 000013
【図１２】
2006106428.tif 000014
【図１３】
2006106428.tif 000015
【図１４】
2006106428.tif 000016
【図１５】
2006106428.tif 000017
【図１６】
2006106428.tif 000018